(57)【要約】【課題】樋支持具の被取り付け面からの可塑剤の移行を防止し、耐候性に優れ、強度劣化しにくい樋支持具を提供する。【解決手段】被取り付け面に固定される固定板部２と樋支持部３とからなる支持具本体と上記被取り付け面からの可塑剤の移行を防止する防止部材１とから構成される樋支持具Ａであって、該防止部材１は肉厚に形成された複数個の可塑剤移行防止部１１が連結桿１２によって連結して形成され、該固定板部２の裏面２１には上記連結桿１２が嵌入される嵌入溝２１が刻設され、上記連結桿１２を嵌入溝２１に嵌入したとき、固定板部２の裏面両端に可塑剤移行防止部１１が凸設されてなる合成樹脂製の樋支持具。【選択図】図２
2010031517.tif 000002
【特許請求の範囲】
【請求項１】
被取り付け面に固定される固定板部と樋支持部とからなる支持具本体と上記被取り付け面からの可塑剤の移行を防止する防止部材とから構成される樋支持具であって、該防止部材は肉厚に形成された複数個の可塑剤移行防止部が連結桿によって連結して形成され、該固定板部の裏面には上記連結桿が嵌入される嵌入溝が刻設され、上記連結桿を嵌入溝に嵌入したとき、固定板部の裏面両端に可塑剤移行防止部が凸設されてなる合成樹脂製の樋支持具。
【請求項２】
上記支持具本体と防止部材とが異なった合成樹脂から形成されたものである請求項１に記載の樋支持具。
【請求項３】
上記固定板部の裏面に刻設される嵌入溝が上記連結桿の嵌入厚さよりも浅く刻設されて固定板部裏面と可塑剤移行防止部とが非接触とされた請求項１に記載の樋支持具。
【請求項４】
上記支持具本体がポリカーボネート樹脂製であり、かつ、防止部材が可塑剤を含まない硬質塩化ビニル樹脂製である請求項１に記載の樋支持具。
【発明の詳細な説明】
【技術分野】
【０００１】
本願発明は樋支持具に関し、さらに詳しくは、鼻隠し板等の被取り付け面に固定され、軒樋や竪樋等の樋を取り付ける際に使用する樋支持具の構造に関するものである。
【背景技術】
【０００２】
建物の柱や壁、鼻隠し板などの被取付け面に各種雨樋、例えば軒樋や竪樋等を取り付ける際に使用する樋支持具としては、例えば本願図５に示す軒樋支持具Ｂが知られている。すなわち、上記公知の軒樋支持具Ｂは、上記被取付け面に取着される固定板部２ａと軒樋を支持する樋支持部３とアーム部４とが連結されて一体的に形成されてなり、樋支持部３の両端には前耳支持部３１と後耳支持部３２が設けられている。上記軒樋支持具Ｂは固定板部２ａに穿たれたビス孔５ａを挿通する固定用ビスによって軒先の鼻隠し板などの被取付け面に固定され、この軒樋支持具Ｂによって図外軒樋が吊り下げ支持される。
【０００３】
一方、上記した被取付け面としては、例えば、木製の鼻隠し板が用いられることが多いが、近年、腐食防止、防火対策あるいは美観上の面で木製の鼻隠し板の表面を合成樹脂含有塗料で塗装したり、金属カバーで覆うことが一般的に行われている。この金属カバーとしては、鋼板の表面を塩化ビニル樹脂材料によって被覆した化粧鋼板、いわゆる塩ビ鋼板が使用されることが多い。
【０００４】
ところで、上記軒樋支持具Ｂとしては、従来用いられてきた塩化ビニル樹脂を一体成形して得られたものに加えて、近年、ポリカーボネート樹脂やポリエステル樹脂、ＡＢＳ樹脂等が、機械的強度や耐候性に優れ、また透明性も高い等の利点があることから、広く使用されつつある。しかしながら、上記鼻隠し板の表面に塩ビ鋼板が取り付けられている場合、鋼板を被覆する塩化ビニル樹脂材料中には可塑剤や紫外線吸収剤、老化防止剤、難燃剤等種々の化学成分（以下、可塑剤と呼ぶ）が含まれ、これらは被覆層の表面側に移行し、例えば、ポリカーボネート樹脂製の軒樋支持具Ｂの固定板部２ａの表面側に浸透して劣化作用をおよぼし、軒樋支持具Ｂにヒビが入り、また割れが生じ、甚だしい場合は樋支持部３が固定板部２ａから脱落するという問題が生じる。
【０００５】
上記問題を解決するため、特開平９−１６５８８８号公報には、建物の被取付面に取り付けられる取付部と、この取付部の前面に突設された支持部とを備えている合成樹脂製の樋支持具において、前記取付部の被取付面に当接される側に、可塑剤の移行を防止する防止層が設けられていることを特徴とする樋支持具が提案されている。そして、鼻隠し板の表面に、可塑剤を含む塩化ビニル樹脂で被覆された化粧鋼板が取り付けられていても、ポリカーボネート樹脂製の樋支持具の取付部が可塑剤によって機械的強度の劣化を受けることがないと、その効果が述べられている。
【特許文献１】特開平９−１６５８８８号公報
【発明の開示】
【発明が解決しようとする課題】
【０００６】
上記特許文献１に記載の技術においては、樋支持具の取付部の被取付面に当接される側に可塑剤の移行を防止する防止層が設けられているが、この防止層は樋支持具の射出成形時に同時に一体成形して設けるか、成形後に取付部の被取付面側に熱融着、塗装などの手段によって設けられており、樋支持具の製造に手間がかかり、コスト的に有利ではないという問題がある。
【０００７】
本願発明は、このような状況に鑑みてなしたものであり、その目的は、塩化ビニル樹脂材料によって被覆された化粧鋼板等、金属カバーで化粧された被取り付け面から可塑剤が移行、浸透することによって強度の劣化を受けることのない、機械的強度に優れた樋支持具を提供することである。
【課題を解決するための手段】
【０００８】
上記課題を解決するために、本願請求項１に記載の発明に係る樋支持具は、被取り付け面に固定される固定板部と樋支持部とからなる支持具本体と上記被取り付け面からの可塑剤の移行を防止する防止部材とから構成される樋支持具であって、該防止部材は肉厚に形成された複数個の可塑剤移行防止部が連結桿によって連結して形成され、該固定板部の裏面には上記連結桿が嵌入される嵌入溝が刻設され、上記連結桿を嵌入溝に嵌入したとき、固定板部の裏面両端に可塑剤移行防止部が凸設された合成樹脂製であることを特徴としている。
【０００９】
本願請求項２記載の発明は、上記請求項１記載の樋支持具において、上記支持具本体と防止部材とが異なった合成樹脂から形成されたものであることを特徴としている。上記支持具本体としては、ＰＣ（ポリカーボネート）樹脂、可塑剤を含まない硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などのエンジニアリング樹脂を成形されたものをあげることができる。上記防止部材としては、上記支持具本体として用いられたエンジニアリング樹脂と異なった組み合わせで、他のエンジニアリング樹脂から成形されたものが用いられる。
【００１０】
本願請求項３記載の発明は、上記請求項１記載の樋支持具において、上記固定板部の裏面に刻設される嵌入溝が上記連結桿の嵌入厚さよりも浅く刻設されて固定板部裏面と可塑剤移行防止部とが非接触とされたことを特徴としている。
【００１１】
本願請求項４記載の発明は、上記請求項１記載の軒樋支持具において、上記支持具本体がポリカーボネート樹脂製であり、かつ、防止部材が可塑剤を含まない硬質塩化ビニル樹脂製であることを特徴としている。
【発明の効果】
【００１２】
本願請求項１記載の発明に係る樋支持具においては、支持具本体と被取り付け面からの可塑剤の移行を防止する防止部材とからなる樋支持具において、該防止部材は肉厚に形成された複数個の可塑剤移行防止部が連結桿で連結されてなるとともに、上記支持具本体の固定板部の裏面には上記連結桿が嵌入される嵌入溝が刻設されているため、上記連結桿を嵌入溝に嵌入したとき、固定板部の裏面両端に可塑剤移行防止部が凸設された状態となる。
【００１３】
そして、２個の可塑剤移行防止部が固定板部の裏面が被取り付け面全体に直接接触することを防いで凸設部で部分的に接触するため、被取り付け面を覆う塩化ビニル樹脂材料からの上記固定板部への可塑剤の移行を防止することができる。
【００１４】
本願請求項２記載の発明に係る樋支持具においては、特に、上記支持具本体と防止部材とが異なった合成樹脂から形成されたものであるため、相互に親和性がなく、たとえ、防止部材に可塑剤が移行した場合でも、該防止部材からなじみがよくない支持具本体の固定板部への可塑剤の浸透を防ぐことができる。
【００１５】
本願請求項３記載の発明に係る樋支持具においては、特に、上記固定板部の裏面に刻設される嵌入溝が上記連結桿の嵌入厚さよりも浅く刻設されて固定板部裏面と可塑剤移行防止部とが非接触とされているため、該防止部材から支持具本体への固定板部への上記可塑剤の移行、浸透をさらに完全に防止することができる。
【００１６】
本願請求項４記載の発明に係る樋支持具においては、特に、上記支持具本体がポリカーボネート樹脂製であり、かつ、防止部材が可塑剤を含まない硬質塩化ビニル樹脂製であるものとすることにより、支持具本体を機械的強度や耐候性に優れ、また透明性も高いものとし、かつ、防止部材をコスト的に優れ、容易に入手可能なものとすることができる。
【発明を実施するための最良の形態】
【００１７】
以下、本願発明に係る樋支持具の実施形態について図面を参照して詳細に説明する。本実施形態においては、ポリカーボネート樹脂からなる支持具本体と可塑剤を含まない硬質塩化ビニル樹脂からなる防止部材とから構成される樋支持具を用い、化粧鋼板で被覆された被取り付け面に、軒樋を取り付ける形態について説明する。
【００１８】
図１は、軒樋支持具Ａを分解して示す説明図である。図１に示すように、上記軒樋支持具Ａは、鼻隠し板等の被取付け面に取着される固定板部２と軒樋を支持する樋支持部３とアーム部４とが一体的に形成された支持具本体と被取り付け面の化粧鋼板の塩化ビニル樹脂材料からの可塑剤の移行を防止する防止部材１とから形成される。上記樋支持部３の前後両端には図外軒樋の前耳を支持する前耳支持部３１と後耳を支持する後耳支持部３２とが設けられている。
【００１９】
上記防止部材１は可塑剤を含まない硬質塩化ビニル樹脂からなり、左右に設けられた若干の厚みを有する可塑剤移行防止部１１と、これら２個の可塑剤移行防止部１１を連結する連結桿１２とから一体的に形成されている。また、上記固定板部２の裏面には、上記連結桿１２が嵌入される連結溝２１が設けられ、上記防止部材１はその連結桿１２を上記連結溝２１に嵌入することによってしっかりと固定板部２の裏面に組み付けられる。
【００２０】
また、可塑剤移行防止部１１には固定板部２に穿たれたビス孔５ａに連通するビス孔５ｂが穿たれ、図外固定用ビスは上記ビス孔５ａ、５ｂを挿通して本願発明に係る軒樋支持具Ａを被取り付け面にしっかりと固定する。
【００２１】
図２は、上記防止部材１の連結桿１２を連結溝２１に嵌入した状態を示す斜視図である。図３は、図２に示すＸ−Ｘ線に沿う断面図である。図２、図３に示すように、本願発明に係る軒樋支持具Ａが被取り付け面に取着されたとき、可塑剤移行防止部１１が部分的に被取り付け面に接触する。そして、被取り付け面、例えば鼻隠し板に被覆された化粧鋼板の表面からの可塑剤の移行、浸透を効果的に防止する。
【００２２】
また、図３に示す形態は、上記固定板部２の裏面と可塑剤移行防止部１１の裏面全体とがぴったりと面一に接触した形態を示しているが、防止部材１の連結桿１２が嵌入する連結溝２１を浅く刻設して上記固定板部２の裏面と可塑剤移行防止部１１との間に隙間ｄを設け、非接触とした構成としてもよい。また、防止部材１の連結桿１２が嵌入する連結溝２１を深く刻設した場合は連結桿１２が嵌入沈下し段差が生じ、成形のさいにバリが生じ難いものとなる。
【００２３】
図４は、上記防止部材１の連結桿１２を固定板部２の裏面に浅く刻設した連結溝２１に嵌入した形態を示す部分断面図である。図４に示されているように、防止部材１は隙間ｄを隔てて固定板部２の裏面に組み付けられているため、固定板部２への化粧鋼板の表面からの可塑剤の移行、浸透が阻止され、支持具本体への移行、浸透をさらに完全に防止することができる。
【００２４】
なお、上記実施形態は、防止部材１の連結桿１２を固定板部２の裏面に刻設された連結溝２１に嵌入する形態を示したが、機械的に嵌入するのみならず、化学的に接着して一体化してもよい。また、金型を用いて異なる２種の樹脂を時間差を設けて流し込み、界面を融着させてもよい。このように本願発明に係る樋支持具は設計変更自在であり、いずれの場合も支持具本体と防止部材１とが脱離することなく、しっかりと一体的に形成することができる。
【図面の簡単な説明】
【００２５】
【図１】本願発明に係る軒樋支持具を分解して示す説明図。
【図２】本願発明に係る軒樋支持具の防止部材の連結桿を固定板部の裏面に刻設した連結溝に嵌入した状態を示す斜視図。
【図３】図２に示すＸ−Ｘ線に沿う断面図。
【図４】本願発明に係る軒樋支持具の防止部材の連結桿を固定板部の裏面に浅く刻設した連結溝に嵌入した形態を示す部分断面図である。
【図５】公知の軒樋支持具を示す斜視図。
【符号の説明】
【００２６】
Ａ      本願発明に係る軒樋支持具
Ｂ      公知の軒樋支持具
ｄ      固定板部裏面と防止部材との隙間
１      防止部材
１１    可塑剤移行防止部
１２    連結桿
２      固定板部
２１    連結溝
３      樋支持部
３１    前耳支持部
３２    後耳支持部
４      アーム部
５ａ    ビス孔
５ｂ    ビス孔
２ａ    公知の軒樋支持具における固定板部
【図１】
2010031517.tif 000003
【図２】
2010031517.tif 000004
【図３】
2010031517.tif 000005
【図４】
2010031517.tif 000006
【図５】
2010031517.tif 000007